(57)【要約】【課題】フォルダ選択画面と曲選択画面の階層表示からカーソルで曲を選択する再生装置において、簡単な操作でフォルダ送りと曲送りができるようにする。【解決手段】フォルダ「Ｇｒｏｕｐ１」に属する曲ＢＢＢＢＢを再生中のフォルダ選択画面３０Ａにおいて下キーを短押しすると、カーソルＣＭが再生中の曲から下方隣接の曲ＣＣＣＣＣに移動した当該フォルダ下層の曲選択画面４０Ａに切り替わり、カーソル位置の曲が再生される。曲選択画面４０Ａでは、上または下キーを短押しすると上方または下方隣接の曲にカーソルＣＭが移動し、上または下キーを長押しすると現在の曲が属するフォルダに対し上方または下方隣接のフォルダにカーソルＣＦが移動したフォルダ選択画面３０Ｃまたは３０Ｂへ切り替わり、それぞれカーソル位置のフォルダの先頭曲が再生される。キーの１アクションで、画面間の切り替えと隣接する曲への曲送りとが完了する。【選択図】図８
2008123580.tif 000002
【特許請求の範囲】
【請求項１】
コンテンツを複数のフォルダにグルーピングし、
ディスプレイに、フォルダのリストを表示するフォルダ選択画面と個別のフォルダに属するコンテンツのリストを表示するコンテンツ選択画面とを切り替え表示する画面切替手段と、
フォルダ選択画面およびコンテンツ選択画面における各リストにそって移動可能のカーソルを制御するキーと、
フォルダ選択画面ではカーソルが位置するフォルダに属するコンテンツを再生させ、コンテンツ選択画面ではカーソルが位置するコンテンツを再生させる再生手段とを有する再生装置であって、
前記キーの操作モードを判定するキーモード判定手段を備え、
前記フォルダ選択画面において前記キーが第１の操作モードで操作されると、前記カーソルが前記フォルダのリスト内の現在のフォルダから隣接するフォルダへ移動し、
前記フォルダ選択画面において前記キーが第２の操作モードで操作されると、
前記画面切替手段がディスプレイの表示をカーソルが位置するフォルダに属するコンテンツを表示するコンテンツ選択画面に切り替えるとともに、当該コンテンツ選択画面におけるカーソルが前記フォルダ選択画面において再生されていたコンテンツから隣接するコンテンツに移動することを特徴とする再生装置。
【請求項２】
前記コンテンツ選択画面において、前記キーが第２の操作モードで操作されると、前記カーソルがリスト内のキー操作前のコンテンツから隣接するコンテンツへ移動し、
前記コンテンツ選択画面において、前記キーが第１の操作モードで操作されると、前記画面切替手段がディスプレイの表示をフォルダ選択画面に切り替えるとともに、当該フォルダ選択画面におけるカーソルがキー操作前のコンテンツ選択画面のコンテンツが属するフォルダから隣接するフォルダに移動することを特徴とする請求項１に記載の再生装置。
【請求項３】
前記フォルダ選択画面におけるフォルダのリストとコンテンツ選択画面におけるコンテンツのリストはディスプレイ上同方向に並べて表示され、
前記キーは、ディスプレイにおけるフォルダのリストおよびコンテンツのリストの並びにそった一方向に対応させて第１キーと逆方向に対応させた第２キーとからなり、
前記隣接するフォルダまたは隣接するコンテンツは、操作された第１キーまたは第２キーに対応して、フォルダのリストまたはコンテンツのリストの並びにそった前記一方向または前記逆方向に隣接するフォルダまたはコンテンツであることを特徴とする請求項１または２に記載の再生装置。
【請求項４】
前記第１の操作モードは、前記キーが押されてから離されるまでの継続時間が所定の判定基準時間以上である長押しであり、前記第２の操作モードは、継続時間が前記判定基準時間より短い短押しであることを特徴とする請求項１から３のいずれか１に記載の再生装置。
【請求項５】
前記フォルダ選択画面においてカーソルが移動して新たなフォルダに位置したときには、前記再生手段は当該フォルダに属するコンテンツのリストの先頭の曲から再生することを特徴とする請求項１から４のいずれか１に記載の再生装置。
【請求項６】
コンテンツを複数のフォルダにグルーピングし、
ディスプレイに、フォルダのリストを表示するフォルダ選択画面と個別のフォルダに属するコンテンツのリストを表示するコンテンツ選択画面とを切り替え表示し、
キー操作によりフォルダ選択画面およびコンテンツ選択画面における各リストにそってカーソルを移動可能とし、
フォルダ選択画面ではカーソルが位置するフォルダに属するコンテンツを再生させ、コンテンツ選択画面ではカーソルが位置するコンテンツを再生させる再生装置において、
前記フォルダ選択画面において前記キーを所定の判定基準時間以上長押ししたときは、前記カーソルを前記フォルダのリスト内の現在のフォルダから隣接するフォルダへ移動させ、
前記フォルダ選択画面において前記キーを所定の判定基準時間よりも短く短押ししたときは、ディスプレイの表示をカーソルが位置するフォルダに属するコンテンツを表示するコンテンツ選択画面に切り替えるとともに、当該コンテンツ選択画面におけるカーソルを前記フォルダ選択画面において再生されていたコンテンツから隣接するコンテンツに移動することを特徴とする再生装置のコンテンツ選択方法。
【発明の詳細な説明】
【技術分野】
【０００１】
本発明は、オーディオ等の多数のコンテンツをリスト表示した中から選択操作して再生させる再生装置に関する。
【背景技術】
【０００２】
オーディオ等のコンテンツの供給媒体としてＣＤやＭＤが用いられているが、近時、ＭＰ３等の圧縮技術の発展と性能向上したフラッシュメモリやＨＤＤなど格納手段との組み合わせにより、例えば音楽の再生に際しても選択対象の曲数は飛躍的に増大している。
コンテンツの選択手段としてディスプレイにそのリストを表示してその中から好みの曲などを選択することになるが、コンテンツデータとして例えば４〜５桁に及ぶ曲が格納手段に格納可能となってくると、表示スペースの限られたディスプレイに単純に並べて表示するだけでは容易に探し出し、選択することはできない。
【０００３】
このため、例えば、特開２００６−１８８７９号公報には、コンテンツデータを階層的に表示することにより選択できるようにした再生装置が提案されている。
この装置では、曲がアルバム単位やアーティスト単位などのフォルダに分けてグルーピングされており、まずフォルダを選択したあと、下層に移って当該選択したフォルダ内の曲名リストから曲を選択するようになっている。
【０００４】
このため、図９に示すように、再生装置５０には、上、下、左、右の各ポジション（キー）を有する十字キー５１が備えられ、その中央には決定キー５４が設定されている。ＬＣＤパネル５２に表示された選択画面にフォルダのリストが上下に並べられており、上キー５５、下キー５６を押すと現在画面内でカーソルが上、下方向に隣接するフォルダ上へ移動し、とくに長押しすると連続的に移動する。選択画面で左キー５７、右キー５８を押すと上層、下層の画面へ移動する。
これにより、限られた表示画面であっても、階層を下ることによって多数の曲のなかから選択することができる。
【特許文献１】特開２００６−１８８７９号公報
【発明の開示】
【発明が解決しようとする課題】
【０００５】
しかしながら、上記従来の装置では、第１層のフォルダ選択画面において上、下キー５５、５６を用いて特定のフォルダを選択しても、選択された当該フォルダにどんな曲がどのような順番で並べられているのかはわからない。これを知るためには、右キー５８を押して下層の画面へ移動しなければならない。
また逆に、特定のフォルダの曲名リストを表示している画面で或る曲を選択して再生中に、他のフォルダの曲を選択したい場合には、まず左キー５７を押してフォルダのリストを表示する上層の選択画面に戻って、上、下キー５５、５６を用いて新たなフォルダを選択し、さらに右キー５８を押して下層の画面への移動を繰り返す必要がある。
このように、各フォルダ内に収められた曲を確認するためには、上、下キー５５、５６とは別に、左キー５７または右キー５８を押すことが必要で、これを繰り返す操作は非常に煩雑なものとなる。
【０００６】
したがって本発明は、上記の問題点にかんがみ、限定されたキーの簡単な操作だけで上層の選択画面と下層の選択画面間を切り替え、かつコンテンツの切り替え選択もできるようにした再生装置を提供することを目的とする。
【課題を解決するための手段】
【０００７】
本発明は、コンテンツを複数のフォルダにグルーピングし、ディスプレイに、フォルダのリストを表示するフォルダ選択画面と個別のフォルダに属するコンテンツのリストを表示するコンテンツ選択画面とを切り替え表示し、キー操作によりフォルダ選択画面およびコンテンツ選択画面における各リストにそってカーソルを移動可能とし、フォルダ選択画面ではカーソルが位置するフォルダに属するコンテンツを再生させ、コンテンツ選択画面ではカーソルが位置するコンテンツを再生させる再生装置において、フォルダ選択画面においてキーを第１の操作モードで操作したときは、カーソルをフォルダのリスト内の現在のフォルダから隣接するフォルダへ移動させ、フォルダ選択画面においてキーを第２の操作モードで操作したときは、ディスプレイの表示をカーソルが位置するフォルダに属するコンテンツを表示するコンテンツ選択画面に切り替えるとともに、当該コンテンツ選択画面におけるカーソルを上記フォルダ選択画面において再生されていたコンテンツから隣接するコンテンツに移動させて、そのコンテンツを再生するものとした。
【発明の効果】
【０００８】
本発明によれば、フォルダ選択画面においてキーを第１の操作モードで操作することにより、フォルダのリスト内でカーソルを隣接するフォルダへ移動させて選択することができる。そしてさらに、同じフォルダ選択画面でキーを第２の操作モードで操作すると、曲選択画面への切り替えと、同時にフォルダ選択画面時に再生されていたコンテンツから隣接するコンテンツへのコンテンツ送りとが行われるので、別途追加のキー操作を要することなく１アクションの操作だけでコンテンツ送りした新たなコンテンツの名や、同じフォルダに属する他のコンテンツを直ちに知ることができる。
【発明を実施するための最良の形態】
【０００９】
次に、発明の実施の形態について説明する。
図１は、本発明をオーディオの再生装置に適用した実施の形態の構成を示すブロック図である。
再生装置は、全体制御を行う制御部１０に、圧縮された音楽データを格納したＨＤＤ１５、オーディオ出力回路１６、ディスプレイ１８および操作入力部２０をそれぞれ接続し、オーディオ出力回路１６にスピーカ１７を接続して構成される。また、外部との接続のためのＵＳＢなどのインターフェース１９を備えている。
【００１０】
制御部１０はＣＰＵ１１と、ＣＰＵの作動プログラムおよびデータ処理時の一時データを記憶する内部メモリ１２を備えている。
インターフェース１９を介して作動プログラムの更新を行うことができ、またインターネットから新たな音楽データをダウンロードするなどしてＨＤＤ１５に格納することができる。
ＨＤＤ１５に格納された曲（以下、とくに「音楽データ」として識別の必要がある場合以外は、「曲」で代表する）には、アーティスト、アルバム、ジャンル等の属性データが付されている。
操作入力部２０はユーザによって操作されるスイッチ、メニュー切替え、ボリューム等のキーやボタンを含み、とくに曲選択のための上キー（ＵＰ）２２と下キー（ＤＯＷＮ）２４を備えている。
【００１１】
制御部１０は操作入力部２０の操作に応じて、曲名をディスプレイ１８に表示し、選択された曲の音楽データをＨＤＤ１５から読み出し、オーディオ出力回路１６へ送出して、スピーカ１７からその曲を再生させる。ここで、ディスプレイ１８に表示される曲は、その属性データに基づいてアーティスト単位やアルバム単位などのフォルダに分けてグルーピングされ、ディスプレイ表示は階層化され、フォルダのリストを表示する上層のフォルダ選択画面とフォルダ内の曲名リストを表示する下層の曲選択画面に分かれる。
【００１２】
つぎに、ＨＤＤ１５に格納された曲の再生メニューにおける、制御部によるフォルダ選択画面と曲選択画面間の切り替え制御について、図２、３のフローチャートにそって説明する。
まずステップ１００において、ディスプレイ１８には図４に示すようなフォルダ選択画面３０が表示される。
各フォルダは「Ｇｒｏｕｐ１」、「Ｇｒｏｕｐ２」のようなグループ番号で縦に並べてリスト表示され、制御開始時の初期画面にはカーソルＣＦが上端の「Ｇｒｏｕｐ１」に位置している。
【００１３】
なお、フォルダの数はディスプレイ１８の画面に一時に表示可能な数に限定されず、適宜に設定できるが、フォルダ選択画面３０の初期画面はリストの先頭が上端に表示される。ここでは９フォルダのうち先頭側の６フォルダが画面に現れている。後述する長押しによるカーソル位置の移動を繰り返すことにより、先頭側から消えて、画面から隠れていたフォルダ名が現れる。
なお、操作入力部２０における上キー２２と下キー２４とは、フォルダリストＦの並び方向に対応させて、上下に配置してある。
なおまた、フォルダ名としては、グループ番号の代わりに、アーティスト名、アルバム名、ジャンル名、その他も用いることができる。
ここではカーソルＣＦはフォルダ名（グループ番号）欄の反転表示（ハッチング）で示されている。
【００１４】
続いて、ステップ１０１において、カーソルＣＦが位置するフォルダ「Ｇｒｏｕｐ１」に属する曲のリスト先頭の曲を再生させる。すなわち、当該曲の音楽データをＨＤＤ１５から読み出し、オーディオ出力回路１６へ送出することにより、当該リスト先頭の曲の再生が開始され、スピーカ１７から出力される。
フォルダ選択画面３０には、フォルダリストを表示した余白部に曲名表示部３２が設けられ、現在再生中の曲名が表示されている。
【００１５】
ステップ１０２では、操作入力部２０の下キー（ＤＯＷＮ）２４が押されたかをチェックし、下キー２４が押されていなければ、ステップ１０３において上キー（ＵＰ）２２が押されたかをチェックする。上キー２２と下キー２４のどちらも押されていなければ、ステップ１０２へ戻って、上キーと下キーのいずれかが押されるまでステップ１０２、１０３を繰り返す。
【００１６】
ステップ１０２のチェックで下キー２４が押された場合は、ステップ１０４へ進み、「長押し」であるか「短押し」であるかをチェックする。ここでは、押された下キー２４が離されるまでの押し継続時間が予め設定された判定基準時間以上であるときに「長押し」とし、押し継続時間が判定基準時間より短いときに「短押し」とする。
「長押し」のときはステップ１０５へ進み、「短押し」のときはステップ１０７へ進む。
【００１７】
ステップ１０５では、カーソルＣＦを下方に隣接するフォルダへ移動させる。これにより、ここでは図５に示すように「Ｇｒｏｕｐ１」の次の「Ｇｒｏｕｐ２」の欄が反転表示される。
なお、図５および後掲の図７、図８ではフォルダリストおよび曲リストのうち画面から隠れた部分は図示省略している。
このあと、ステップ１０１へ戻る。
すなわち、「Ｇｒｏｕｐ２」のフォルダが選択されると、それまで再生中の「Ｇｒｏｕｐ１」に属する曲に代わり、「Ｇｒｏｕｐ２」に属する曲のリスト先頭の曲の音楽データをＨＤＤ１５から読み出し、オーディオ出力回路１６へ送出して再生させる。
【００１８】
一方、ステップ１０７では、カーソルＣＦが位置していたフォルダに含まれる曲を表示する下層の曲選択画面４０へディスプレイ表示を切り替える。
ここで曲選択画面４０には、図６に示すように、「Ｇｒｏｕｐ１」のフォルダに属する曲名「ＡＡＡＡＡ」、「ＢＢＢＢＢ」・・が縦に曲リストＭとして表示されるとともに、下キー２４を押す前に再生していた曲のリスト下方に隣接する曲（曲名）にカーソルＣＭが設定される。すなわち、リスト先頭の「ＡＡＡＡＡ」を再生していたときには、次の「ＢＢＢＢＢ」が反転表示される。
曲選択画面４０には、曲リストを表示した余白部にフォルダ名表示部４２が設けられ、当該曲リストが属するフォルダ名が表示されている。
【００１９】
なお、フォルダ選択画面３０のまま、下キー２４（および上キー２２）が押されない間はカーソルＣＦが位置するフォルダに属する曲が曲リストに従って順次に再生される設定の場合にも、下キー２４が短押しされて曲選択画面４０へ切り替わったときのカーソルＣＭはその時点で再生中の曲の次の曲（曲名）位置となる。
なおまた、曲の数はディスプレイ１８の画面に一時に表示可能な数に限定されず、適宜に設定できるが、曲選択画面４０の初期画面では曲リストの先頭が上端に表示される。ここでは１０曲のうち先頭側の６曲が画面に現れている。
【００２０】
続いてステップ１０８では、それまで再生中の曲に代わり、曲選択画面４０のカーソルＣＭが位置する例えば「ＢＢＢＢＢ」の音楽データをＨＤＤ１５から読み出し、オーディオ出力回路１６へ送出して再生を開始させる。
曲の再生を開始させたあと、ステップ１０９へ進む。
【００２１】
ステップ１０９では、下キー２４が押されたかをチェックし、下キー２４が押されていなければ、ステップ１１０において上キー２２が押されたかをチェックする。上キー２２と下キー２４のどちらも押されていなければ、ステップ１０９へ戻って、上キーと下キーのいずれかが押されるまでステップ１０９、１１０を繰り返す。
【００２２】
ステップ１０９のチェックで下キー２４が押された場合は、ステップ１１１へ進み、「長押し」であるか「短押し」であるかをチェックする。このとき、再生中の曲は中断させる。
「短押し」であったときは、ステップ１１２へ進み、曲選択画面４０においてカーソルＣＭを上記中断した曲の下方に隣接する曲名へ移動させる。これにより、ここでは図７に示すように「ＢＢＢＢＢ」の次の「ＣＣＣＣＣ」の欄が反転表示される。
なお、曲リストの後尾に近く初期画面から隠れていた曲名でも、短押しが繰り返されてカーソルＣＭが移動すべき隣接の曲に該当することになったときは、先頭側から表示を消して該当曲名を画面に現し、反転表示させる。
【００２３】
このあと、ステップ１０８へ戻る。
すなわち、カーソル位置の「ＣＣＣＣＣ」の音楽データをＨＤＤ１５から読み出し、オーディオ出力回路１６へ送出する。これにより、「ＣＣＣＣＣ」の曲の再生が開始され、スピーカ１７から出力される。
【００２４】
一方、ステップ１１１のチェック結果が「長押し」であったときは、ステップ１１４へ進む。
ステップ１１４では、フォルダ選択画面３０へディスプレイ表示を切り替え、カーソルＣＦの位置を直前に再生していた曲が属するフォルダの下方に隣接するフォルダへ移動させる。すなわち、ここでは再生していた「ＢＢＢＢＢ」の曲が属する「Ｇｒｏｕｐ１」の次の「Ｇｒｏｕｐ２」の欄が反転表示された図５と同じフォルダ選択画面となる。
【００２５】
このあと、ステップ１０１へ戻る。
すなわち、下キー２４を押すまで再生していた曲の代わりに、カーソル位置のフォルダ「Ｇｒｏｕｐ２」に属する曲のリスト先頭の曲の音楽データをＨＤＤ１５から読み出し、オーディオ出力回路１６へ送出して再生させる。
【００２６】
ステップ１１０のチェックで上キー２２が押された場合は、ステップ１１６へ進み、「長押し」であるか「短押し」であるかをチェックする。再生中の曲は中断させる。
「短押し」であったときは、ステップ１１７へ進み、曲選択画面４０においてカーソルＣＭを上方に隣接する曲（曲名）へ移動させる。なお、直前のカーソル位置がリスト先頭の「ＡＡＡＡＡ」であったときは曲リスト最後尾の曲「ＪＪＪＪＪ」（図６参照）が上方隣接の曲となる。曲リストの曲数がディスプレイ１８の画面に一時に表示可能な数よりも多いときは、カーソル移動先の曲名が曲選択画面４０に現れ、反転表示されるように表示が変わる。
【００２７】
このあと、ステップ１０８へ戻る。
すなわち、ステップ１１２から戻った場合と同様に、カーソル位置の音楽データをＨＤＤ１５から読み出し、オーディオ出力回路１６へ送出する。これにより、その曲の再生が開始され、スピーカ１７から出力される。
【００２８】
一方、ステップ１１６のチェック結果が「長押し」であったときは、ステップ１１９へ進む。
ステップ１１９では、フォルダ選択画面３０へディスプレイ表示を切り替え、カーソルＣＦの位置を直前に再生していた曲が属するフォルダの上方に隣接するフォルダへ移動させる。
なお、直前に再生していた曲が属するフォルダがリスト先頭の「Ｇｒｏｕｐ１」であったときはフォルダリスト最後尾のフォルダ「Ｇｒｏｕｐ９」（図４参照）が上方隣接のフォルダとなる。フォルダリストのフォルダ数がディスプレイ１８の画面に一時に表示可能な数よりも多いときは、カーソル移動先のフォルダ名がフォルダ選択画面３０に現れ、反転表示されるように表示が変わる。
【００２９】
このあと、ステップ１０１へ戻る。
すなわち、ステップ１１４から戻った場合と同様に、カーソル位置のフォルダに属する曲のリスト先頭の曲の音楽データをＨＤＤ１５から読み出し、オーディオ出力回路１６へ送出して再生させる。
【００３０】
先のステップ１０３のチェックで上キー２２が押された場合は、ステップ１３０へ進み、「長押し」であるか「短押し」であるかをチェックする。
「長押し」のときはステップ１３１へ進み、「短押し」のときはステップ１３３へ進む。
ステップ１３１では、フォルダ選択画面３０で、カーソルＣＦを上方に隣接するフォルダへ移動させる。なお、直前のカーソル位置がフォルダリスト先頭の「Ｇｒｏｕｐ１」であったときはフォルダリスト最後尾のフォルダが上方隣接のフォルダとなる。ステップ１１９で述べたと同様に、フォルダリストのフォルダ数がディスプレイ１８の画面に一時に表示可能な数よりも多いときは、カーソル移動先のフォルダ名がフォルダ選択画面３０に現れるように表示が変わる。
【００３１】
このあと、ステップ１０１へ戻る。
すなわち、ステップ１０５から戻った場合と同様に、新たなカーソル位置のフォルダに属する曲のリスト先頭の曲の音楽データをＨＤＤ１５から読み出し、オーディオ出力回路１６へ送出して再生させる。
【００３２】
ステップ１３３では、カーソルＣＦが位置していたフォルダに含まれる曲を表示する下層の曲選択画面４０へディスプレイ表示を切り替えるとともに、上キー２２を押す前に再生していた曲の曲リスト上方に隣接する曲にカーソルＣＭの位置が設定される。これは、押したキーに対応して上方、下方の別はあるが、先のステップ１０７の処理と同様である。
このあとは、ステップ１０８へ進んで、カーソル位置の曲が再生される。
こうして曲選択画面４０へ切り替わったあとの処理は、上に説明したステップ１０９以下のとおりである。
【００３３】
以上の制御を画面遷移図として示すと図８のようになる。
すなわち、カーソルＣＦが「Ｇｒｏｕｐ１」に位置するフォルダ選択画面３０Ａにおいて下キー２４を長押しすると、ステップ１０２、１０４、１０５から１０１の流れにより、カーソルＣＦがフォルダリストを下方向に移動して、「Ｇｒｏｕｐ２」のフォルダを選択したフォルダ選択画面３０Ｂとなる。フォルダが選択されると当該「Ｇｒｏｕｐ２」のフォルダに属する曲リストの先頭の曲「ＫＫＫＫＫ」が再生開始される。
これと同様に、フォルダ選択画面３０Ａにおいて上キー２２を長押ししたときには、ステップ１０３、１３０、１３１から１０１の流れにより、カーソルＣＦがフォルダリストを上方向に移動して隣接のフォルダ（ここではフォルダリスト最後尾のフォルダ）を選択したフォルダ選択画面３０Ｃとなる。
【００３４】
フォルダ選択画面３０Ａにおいて下キー２４を短押しすると、ステップ１０２、１０４、１０７から１０８の流れにより、カーソルＣＦが位置するフォルダ「Ｇｒｏｕｐ１」に含まれる曲名のリストを表示する下層の曲選択画面４０Ａに切り替えられるとともに、曲選択画面４０ＡでのカーソルＣＭが、キー押し前に再生されていた曲に対して下方に隣接する曲名に位置し、当該カーソル位置の曲が再生開始される。例えばキー押し前に「ＢＢＢＢＢ」が再生されていたとすれば、カーソルＣＭは「ＣＣＣＣＣ」に位置する。
これと同様に、フォルダ選択画面３０Ａにおいて上キー２２を短押ししたときには、ステップ１０３、１３０、１３３から１０８の流れにより、カーソルＣＭが「ＢＢＢＢＢ」に対して上方に隣接する「ＡＡＡＡＡ」に位置した曲選択画面４０Ｂとなる。
【００３５】
このようにして、フォルダ選択画面４０Ａで例えば下キー２４を短押しするだけで曲送りと曲選択画面への切り替えが行われるので、従来のような上、下キー２２、２４以外の左キーや右キーの操作が不要の１アクションで操作が完了し、切り替えた新たな曲の曲名が何であり、同じフォルダ内に他にどのような曲があるのかを直ちに知ることができる。
【００３６】
さらに、曲選択画面においては、下キー２４あるいは上キー２２を短押しすることにより、ステップ１０９、１１１、１１２から１０８の流れ、あるいはステップ１１０、１１６、１１７から１０８の流れで、押したキーに対応してカーソルＣＭが曲リストを下方向または上方向に移動して、曲リスト内の曲を切り替え選択することができ、選択された曲が再生される。
すなわち、曲選択画面４０Ａにおいて上キーを短押しすれば、曲選択画面４０Ｃとなり、下キーを短押しすれば、曲選択画面４０Ｄに変わる。
【００３７】
そして、曲選択画面において下キーあるいは上キーを長押しすると、ステップ１０９、１１１、１１４から１０１の流れ、あるいはステップ１１０、１１６、１１９から１０１の流れにより、押した下キーまたは上キーに対応して曲選択画面に表示されていた曲が属するフォルダの下方または上方に隣接するフォルダにカーソルが位置する上層のフォルダ選択画面へ切り替わるとともに、当該カーソル位置のフォルダに属する曲リストの先頭の曲が再生される。
すなわち、曲選択画面４０Ａにおいて下キー２４を長押しすれば、フォルダ選択画面３０Ｂとなり、上キーを長押しすれば、フォルダ選択画面３０Ｃに変わる。
【００３８】
本実施の形態においては、上キー２２と下キー２４がそれぞれ発明におけるキーに対応し、その一方が第１キーに、他方が第２キーに該当する。また、各キーの長押しが第１の操作モードに、短押しが第２の操作モードに該当する。
また、図２、３のフローチャートにおけるステップ１０４、１１１、１１６および１３０がそれぞれキーモード判定手段を構成し、ステップ１０１および１０８が再生手段を構成する。
そして、ステップ１０７、１１４、１１９、および１３３が画面切替手段を構成している。
【００３９】
実施の形態は以上のように構成され、曲を複数のフォルダにグルーピングし、ディスプレイ１８に、フォルダのリストを表示するフォルダ選択画面３０と個別のフォルダに属する曲のリストを表示する曲選択画面４０とを切り替え表示し、キー操作によりフォルダ選択画面および曲選択画面における各リストにそってカーソルを移動可能とし、フォルダ選択画面ではカーソルが位置するフォルダに属する曲を再生させ、曲選択画面ではカーソルが位置する曲を再生させる再生装置において、フォルダ選択画面３０においてキー２２または２４を長押ししたときは、カーソルＣＦをフォルダのリスト内の現在のフォルダから隣接するフォルダへ移動させ、フォルダ選択画面３０においてキー２２または２４を短押ししたときは、ディスプレイ１８の表示をカーソルＣＦが位置するフォルダに属する曲を表示する曲選択画面４０に切り替えるとともに、その曲選択画面４０におけるカーソルＣＭを上記フォルダ選択画面において再生されていた曲から隣接する曲名へ移動させて、その曲を再生するものとした。
これにより、フォルダ選択画面でキーを短押しするだけの１アクションで、曲選択画面への切り替えと、同時にフォルダ選択画面時に再生されていた曲から隣接する曲への曲送りとが行われるので、別途のキー操作を要することなく、切り替えた新たな曲の曲名や、同じフォルダに属する他の曲名を直ちに知ることができる。
【００４０】
また、曲選択画面４０において、キー２２または２４を短押しすると、カーソルＣＭがリスト内のキー操作前の曲から隣接する曲（曲名）へ移動する一方、同じ曲選択画面４０においてキー２２または２４を長押しすると、ディスプレイ１８の表示がフォルダ選択画面３０に切り替わるとともに、当該フォルダ選択画面３０におけるカーソルＣＦがキー操作前の曲選択画面の曲が属するフォルダから隣接するフォルダに移動するよう構成されているので、曲選択画面からもキーを長押しするだけの１アクションで、画面切り替えと曲送りとが同時に行なわれ操作が簡便である。
また、各画面内でリスト内を選択するキーだけで、別途の画面切り替え用のキーは不要であるから、レイアウトの自由度も高くなる。
【００４１】
とくにキー２２、２４は、ディスプレイ１８におけるフォルダリストＦおよび曲リストＭの並びにそって上方向、下方向に対応させてあり、上述した隣接するフォルダまたは隣接する曲として、操作されたキーが上キーか下キーかに応じて下方向または上方向に選択可能である。
【００４２】
また、フォルダ選択画面３０においてカーソルＣＦが移動して新たなフォルダに位置したときには、当該フォルダに属する曲のリストの先頭の曲から再生するよう設定されているので、下キー２４または上キー２２でフォルダを選択するだけでその先頭の曲が再生され、他の操作を要しない。
【００４３】
なお、実施の形態では、制御開始時のフォルダ選択画面３０の初期画面では、カーソルＣＦがフォルダリスト先頭である「Ｇｒｏｕｐ１」に位置しているものとしたが、これに限らず、再生装置の前回使用終了時に選択されていたフォルダに位置させることもでき、その設定は任意である。
【００４４】
また、フォルダや曲名のリストはディスプレイ１８の画面において上下方向に並べて表示し、カーソルＣＦ、ＣＭを移動させるキーもこれに対応させて上キー２２および下キー２４としたが、リストを横方向に並べて表示する場合には、キーも左キーおよび右キーと名づけて左右方向に配置してもよい。
カーソルＣＦ、ＣＭはフォルダ名や曲名の欄の反転表示で示されるものとしたが、カラー表示や矢印その他の記号表示でもよい。
【００４５】
また、キーとして下キー２４および上キー２２の２つを備えて、フォルダ送りや曲送りをリスト内の下方向および上方向任意に選択可能としたが、いずれか一方を備えるだけでも、送り方向が一方向に限定されるのみで、１アクションでフォルダ選択画面３０と曲選択画面４０間の切り替えと、曲送りまたはフォルダ送りとが行われるという本発明の効果が得られる。
【００４６】
実施の形態では、音楽データをＨＤＤ１５に格納してあるものとしたが、格納媒体は限定されず、ＤＶＤやフラッシュメモリその他、適宜の媒体を利用可能である。
またコンテンツとして曲（音楽）を例に説明したが、これに限定されないことはもちろんで、映像や画像、話芸等、種々の再生を対象とすることができる。
【図面の簡単な説明】
【００４７】
【図１】本発明の実施の形態の構成を示すブロック図である。
【図２】フォルダおよび曲の選択切り替え制御の流れを示すフローチャートである。
【図３】フォルダおよび曲の選択切り替え制御の流れを示すフローチャートである。
【図４】制御開始時のフォルダ選択画面を示す図である。
【図５】下キーを長押ししたときのフォルダ選択画面の変化を示す図である。
【図６】曲選択画面を示す図である。
【図７】下キーを短押ししたときの曲選択画面の変化を示す図である。
【図８】キー操作に対応する切り替え状態を示す画面遷移図である。
【図９】従来例を示す図である。
【符号の説明】
【００４８】
１０    制御部
１１    ＣＰＵ
１２    メモリ
１５    ＨＤＤ
１６    オーディオ出力回路
１７    スピーカ
１８    ディスプレイ
１９    インターフェース
２０    操作入力部
２２    上キー
２４    下キー
３０、３０Ａ、３０Ｂ、３０Ｃ    フォルダ選択画面
３２    曲名表示部
４０、４０Ａ、４０Ｂ、４０Ｃ、４０Ｄ    曲選択画面
４２    フォルダ名表示部
ＣＦ、ＣＭ    カーソル
Ｆ    フォルダリスト
Ｍ    曲リスト
【図１】
2008123580.tif 000003
【図２】
2008123580.tif 000004
【図３】
2008123580.tif 000005
【図４】
2008123580.tif 000006
【図５】
2008123580.tif 000007
【図６】
2008123580.tif 000008
【図７】
2008123580.tif 000009
【図８】
2008123580.tif 000010
【図９】
2008123580.tif 000011